(57)【要約】      （修正有）【課題】処理チャンバの部品の劣化特性を改善した半導体処理システムを提供する。【解決手段】処理システムにおいて、処理チャンバ２０５へのアクセス部を画定するガスボックス２２０を有する処理チャンバ２０５を含む。処理チャンバは、ガスボックスが結合される第１の表面３２１によって特徴付けられるスペーサ２２２を含む。スペーサは、第１の表面の内側部分に凹状棚部３２３を画定する。処理チャンバは、スペーサの第２の表面３２４に沿って延びる、凹状棚部に据え付けられた支持ブラケット３０５を含む。処理チャンバはまた、支持ブラケットに据え付けられたガス分配プレート３１０を含む。【選択図】図３
2020205431.tif 000002
【特許請求の範囲】
【請求項１】
遠隔プラズマ源と、
前記遠隔プラズマ源と結合された送達管と、
半導体処理チャンバと
を備える半導体処理システムであって、前記半導体処理チャンバが、
前記半導体処理チャンバへのアクセス部を画定するガスボックスであって、前記アクセス部が前記ガスボックス内の中央に位置し、前記送達管が前記アクセス部で前記ガスボックスと結合されている、ガスボックスと、
前記ガスボックスが結合されている第１の表面によって特徴付けられるスペーサであって、前記第１の表面の内側部分に凹状棚部を画定するスペーサと、
前記凹状棚部に据え付けられ、前記スペーサの第２の表面に沿って延びる支持ブラケットであって、前記ガスボックスの一部が、前記スペーサの前記第２の表面と平行に少なくとも部分的に延び、前記支持ブラケットが、前記スペーサの前記第２の表面と、前記スペーサの前記第２の表面と平行に少なくとも部分的に延びる前記ガスボックスの前記一部との間に少なくとも部分的に配置されている、支持ブラケットと、
前記支持ブラケットに据え付けられたガス分配プレートと
を備える、半導体処理システム。
【請求項２】
前記ガス分配プレートと接触し、前記支持ブラケットの内側表面を回って延びる環状ライナを、さらに備える、請求項１に記載の半導体処理チャンバ。
【請求項３】
前記環状ライナ上に据え付けられ、前記ガスボックスの表面に近接して配置された上部プレートを、さらに備える、請求項２に記載の半導体処理チャンバ。
【請求項４】
前記ガスボックスの前記一部が、前記ガスボックスの凹部の表面を含み、前記ガスボックスの前記凹部が、前記スペーサの前記第２の表面に沿って延びる前記支持ブラケットの一部に隣接して配置されている、請求項３に記載の半導体処理チャンバ。
【請求項５】
前記上部プレートが、前記ガスボックスによって画定された前記アクセス部の外径内に延びて、前記送達管または前記送達管の出口に配置されたアダプタと接触する、請求項３に記載の半導体処理チャンバ。
【請求項６】
半導体基板を支持するように構成されたペデスタルをさらに備え、前記ペデスタルが、前記半導体基板を約３００℃〜５００℃に加熱するように構成されたセラミックヒータを備える、請求項１に記載の半導体処理チャンバ。
【請求項７】
前記ガス分配プレートが、前記ガス分配プレートの中心軸から半径方向外側に広がる開孔の１つ以上のリングを含む、請求項１に記載の半導体処理チャンバ。
【請求項８】
半導体処理チャンバであって、
前記半導体処理チャンバへのアクセス部を画定するガスボックスと、
前記ガスボックスが結合されている第１の表面によって特徴付けられるスペーサであって、前記第１の表面の内側部分に凹状棚部を画定するスペーサと、
前記凹状棚部に据え付けられ、前記スペーサの第２の表面に沿って延びる支持ブラケットと、
前記支持ブラケットに据え付けられたガス分配プレートと
を備える、半導体処理チャンバ。
【請求項９】
前記ガス分配プレートと接触し、前記支持ブラケットの表面を回って延びる環状ライナを、さらに備える、請求項８に記載の半導体処理チャンバ。
【請求項１０】
前記環状ライナ上に据え付けられ、前記ガスボックスの表面に近接して配置された上部プレートを、さらに備える、請求項９に記載の半導体処理チャンバ。
【請求項１１】
前記ガス分配プレート、前記環状ライナ、および前記上部プレートが、石英、セラミック、またはコーティングされたアルミニウムを含む、請求項１０に記載の半導体処理チャンバ。
【請求項１２】
前記支持ブラケットおよび前記スペーサが、硬質の陽極酸化されたアルミニウムまたはコーティングされたアルミニウムを、少なくとも部分的に含む、請求項８に記載の半導体処理チャンバ。
【請求項１３】
前記半導体処理チャンバを前記ガスボックスの前記アクセス部で遠隔プラズマ源と結合させる送達管をさらに備え、前記送達管が、石英の内側表面を含む、請求項８に記載の半導体処理チャンバ。
【請求項１４】
前記石英の内側表面が、アルミニウムの送達管内に配置された石英ライナを含む、請求項１３に記載の半導体処理チャンバ。
【請求項１５】
前記送達管が、前記送達管を遠隔プラズマ源ユニットと結合させるアダプタをさらに備え、前記アダプタが、前記送達管に近接するシムをさらに含む、請求項１３に記載の半導体処理チャンバ。
【発明の詳細な説明】
【技術分野】
【０００１】
［０００１］本技術は、半導体材料をエッチングするためのシステムおよび方法に関する。より具体的には、本技術は、チャンバ部品の劣化特性を改善したエッチングのためのチャンバおよび方法に関する。
【背景技術】
【０００２】
［０００２］集積回路は、基板表面上に複雑にパターニングされた材料層を生成するプロセスによって可能になる。パターニングされた材料を基板上に生成するには、露出した材料を除去するための制御された方法が必要である。化学エッチングは、フォトレジストのパターンを下地層に転写する、層を薄くする、または表面に既に存在するフィーチャの横寸法を細くすることを含む様々な目的で使用される。ある材料を他よりも速くエッチングして、例えばパターン転写プロセスを促進するエッチングプロセスを有することが、しばしば望ましい。そのようなエッチングプロセスは、第１の材料に対して選択的であると言われる。材料、回路、およびプロセスの多様性の結果、様々な材料に対して、選択性を有するエッチングプロセスが開発されてきた。
【０００３】
［０００３］エッチングプロセスは、プロセスで使用される材料に基づいて、ウェットまたはドライと呼ぶことができる。ウェットＨＦエッチングは、他の誘電体および材料よりも酸化ケイ素を優先的に除去する。しかしながら、ウェットプロセスは、狭いトレンチに入り込むのが困難であり、残っている材料を時には変形させる可能性もある。基板処理領域内に形成された局所プラズマで生成されたドライエッチングは、より狭いトレンチに入り込み、残っている精緻な構造の変形を少なくすることができる。しかしながら、局所プラズマは、それらが放電するときに電弧が発生することによって基板を損傷させる可能性がある。さらに、プラズマ放出物は、チャンバ部品を損傷させ、交換または処置が必要となる可能性がある。
【０００４】
［０００４］したがって、高品質のデバイスおよび構造を製造するために使用することができる改良されたシステムおよび方法が必要とされている。これらおよび他の要求が、本技術によって対処される。
【発明の概要】
【０００５】
［０００５］半導体システムおよび方法は、半導体処理チャンバへのアクセス部を画定するガスボックスを有する半導体処理チャンバを含むことができる。チャンバは、ガスボックスが結合される第１の表面によって特徴付けられるスペーサを含むことができ、スペーサは、第１の表面の内側部分に凹状棚部を画定することができる。チャンバは、スペーサの第２の表面に沿って延びる、凹状棚部に据え付けられた支持ブラケットを含むことができる。チャンバはまた、支持ブラケットに据え付けられたガス分配プレートを含むことができる。
【０００６】
［０００６］例示的なチャンバはまた、ガス分配プレートに接触し、支持ブラケットの表面を回って延びる環状ライナを含むことができる。チャンバは、環状ライナ上に据え付けられ、ガスボックスの表面に近接して配置された上部プレートを含むことができる。実施形態において、ガス分配プレート、環状ライナ、および上部プレートは、石英、セラミック、またはコーティングされたアルミニウムであってもよく、またはそれらを含んでもよい。支持ブラケットおよびスペーサは、硬質陽極酸化アルミニウムまたはコーティングされたアルミニウムを少なくとも部分的に含むことができる。チャンバはまた、半導体基板を支持するように構成されたペデスタルを含むことができ、ペデスタルは、半導体基板を約３００℃〜５００℃に加熱するように構成されたセラミックヒータを含むことができる。
【０００７】
［０００７］実施形態において、送達管が、ガスボックスのアクセス部で半導体処理チャンバを遠隔プラズマ源と結合させることができ、送達管は、石英の内側表面を含むことができる。石英の内側表面は、アルミニウムの送達管内に配置された石英ライナを含むことができる。送達管はまた、送達管を遠隔プラズマ源ユニットと結合させるアダプタを含むことができ、アダプタは、送達管に近接するシムを含むことができる。
【０００８】
［０００８］本技術はまた、遠隔プラズマ源と、遠隔プラズマ源と結合された送達管とを含むことができる半導体処理システムを含むことができる。システムは、半導体処理チャンバへのアクセス部を画定するガスボックスを含むことができる半導体処理チャンバを含むことができる。実施形態において、アクセス部は、ガスボックス内の中央に位置してもよく、送達管は、アクセス部でガスボックスと結合されてもよい。チャンバはまた、ガスボックスが結合される第１の表面によって特徴付けられるスペーサを含むことができ、スペーサは、第１の表面の内側部分に凹状棚部を画定することができる。チャンバは、凹状棚部に据え付けられた、スペーサの第２の表面に沿って延びる支持ブラケットを含むことができる。ガスボックスの一部が、スペーサの第２の表面と平行に少なくとも部分的に延びていてもよく、支持ブラケットが、スペーサの第２の表面と、スペーサの第２の表面と平行に少なくとも部分的に延びているガスボックスの前記一部との間に少なくとも部分的に配置されてもよい。チャンバはまた、支持ブラケットに据え付けられたガス分配プレートを含むことができる。
【０００９】
［０００９］システムはまた、ガス分配プレートと接触し、支持ブラケットの内側表面を回って延びる環状ライナをチャンバ内に含むことができる。チャンバは、環状ライナ上に据え付けられ、ガスボックスの表面に近接して配置された上部プレートを含むことができる。ガスボックスの前記部分は、ガスボックスの凹部の表面を含んでもよく、ガスボックスの凹部は、スペーサの第２の表面に沿って延びる支持ブラケットの一部に隣接して配置されてもよい。実施形態において、ガス分配プレート、環状ライナ、および上部プレートは、石英、セラミック、またはコーティングされたアルミニウムであってもよく、またはそれらを含んでもよい。
【００１０】
［００１０］実施形態において、上部プレートは、ガスボックスによって画定されたアクセス部の外径内に延びて、送達管または送達管の出口に配置されたアダプタと接触してもよい。支持ブラケットおよびスペーサは、少なくとも部分的に、硬質の陽極酸化されたアルミニウムまたはコーティングされたアルミニウムであってもよいし、それらを含んでもよい。チャンバはまた、半導体基板を支持するように構成されたペデスタルを含むことができ、ペデスタルは、半導体基板を約３００℃〜５００℃に加熱するように構成されたセラミックヒータであってもよいし、またはそれを含んでもよい。実施形態において、送達管は、石英の内側表面であってもよいし、または石英の内側表面を含んでもよい。さらに、ガス分配プレートは、ガス分配プレートの中心軸から半径方向外側に広がる開孔の１つ以上のリングを含むことができる。
【００１１】
［００１１］本技術は、半導体処理チャンバ内で基板をエッチングする方法も含むことができる。この方法は、プラズマを発生させながら塩素含有前駆体を遠隔プラズマ源に送達して、プラズマ放出物を生成することを、含むことができる。この方法は、半導体処理チャンバ内で石英ガス分配プレートを通ってプラズマ放出物を流すことを、含むことができる。この方法はまた、約３００℃〜約５００℃の温度で基板をエッチングすることを、含むことができる。
【００１２】
［００１２］本技術はまた、遠隔プラズマ源を有する半導体処理システムを、含むことができる。システムは、遠隔プラズマ源と結合された送達管を含むことができる。システムはまた、半導体処理チャンバを含むことができ、半導体処理チャンバは、送達管の遠位領域の周りに結合されたガスボックスを含むことができる。チャンバは、第１の環状支持体の第１の表面でガスボックスと接触する第１の環状支持体を含むことができ、第１の環状支持体およびガスボックスは共同で、半導体処理チャンバの内部領域の周りに第１のチャネルを画定することができる。チャンバはまた、第１のチャネル内に据え付けられたガス分配プレートを含むことができる。
【００１３】
［００１３］処理チャンバはまた、ガス分配プレート上に据え付けられた環状ライナを含むことができる。チャンバは、環状ライナ上に据え付けられた上部プレートを含むことができ、環状ライナおよび上部プレートは両方とも、第１のチャネル内に少なくとも部分的に据え付けられることができる。チャンバは、第１の環状支持体の第１の表面の反対側の第１の環状支持体の第２の表面で第１の環状支持体と接触する第２の環状支持体を含むことができる。第２の環状支持体および第１の環状支持体は共同で、半導体処理チャンバの内部領域の周りに第２のチャネルを画定することができる。チャンバはまた、第２のチャネル内に据え付けられた第２のガス分配プレートを含むことができる。実施形態において、第１のガス分配プレートおよび第２のガス分配プレートは、それぞれ、石英、セラミック、もしくはコーティングされたアルミニウムのうちの１つであってもよく、またはそれらを含んでもよい。
【００１４】
［００１４］処理チャンバはまた、ガス分配プレートを第１の環状支持体に取り外し可能に結合させる少なくとも１つのピンを含むことができる。送達管は、遠隔プラズマ源をバイパスして、半導体処理チャンバ内へ送達管を通って前駆体を送達することを可能にするように構成されたチャネルの少なくとも一部を、遠隔プラズマユニットとガスボックスとの間に画定することができる。チャンバはまた、送達管内に配置されたインサートを含むことができ、インサートは、遠隔プラズマ源および送達管のチャネルの前記少なくとも一部からインサートの混合領域へのアクセスを提供することができる。実施形態において、インサートの混合領域は、インサートの混合領域へのアクセス部からのテーパ形状によって特徴付けられる第１の混合セクションを含むことができ、また、インサートの混合領域は、第１の混合セクションに近接した位置から送達管の出口までの広がる内径によって特徴付けられる第２の混合セクションを含むことができる。
【００１５】
［００１５］実施形態において、インサートの混合領域は、送達管の内径の半分よりも小さい内径を有する円筒形状によって特徴付けられる第３の混合セクションを、さらに含むことができる。さらに、ガスボックスは、互いに結合された第１のガスボックスプレートおよび第２のガスボックスプレートを含むことができる。第２のガスボックスプレートは、第１のガスボックスプレートと接触する第２のガスボックスプレートの第１の表面の反対側の第２のガスボックスプレートの第２の表面に沿って、第１の環状支持体と少なくとも部分的に接触することができる。また、第２のガスボックスプレートは、複数のチャネルを画定することができ、結合された第１のガスボックスプレートおよび第２のガスボックスプレートは、複数のチャネルを通る流路を画定することができる。実施形態において、第１のガスボックスプレートは、複数のチャネルのうちのあるチャネルへのアクセスを提供するポートを画定することができる。第２のガスボックスプレートは、複数のチャネルから半導体処理チャンバの内部領域へのアクセスを提供する少なくとも１つの入口チャネルを画定することができ、少なくとも１つの入口チャネルは、第１のガスボックスプレートによって画定されるポートの半径方向外側に配置することができる。
【００１６】
［００１６］本技術はまた、半導体処理チャンバへのアクセスを提供するガスボックスを有する半導体処理チャンバを含むことができる。チャンバは、第１の環状支持体の第１の表面でガスボックスと接触する第１の環状支持体を含むことができ、第１の環状支持体およびガスボックスはそれぞれ、ガスボックスと第１の環状支持体との境界面に配置された第１のチャネルの一部を画定することができる。チャンバは、第１のチャネル内に据え付けられた第１のガス分配プレートを含むことができる。さらに、チャンバは、第１の環状支持体の第１の表面の反対側の第１の環状支持体の第２の表面で第１の環状支持体と接触する第２の環状支持体を含むことができる。第２の環状支持体は、半導体処理チャンバの内部領域の周りに配置された第２のチャネルを少なくとも部分的に画定することができる。チャンバはまた、第２のチャネル内に据え付けられた第２のガス分配プレートを含むことができ、第１のガス分配プレートおよび第２のガス分配プレートは、実施形態において、石英であってもよいし、または石英を含んでもよい。
【００１７】
［００１７］処理チャンバはまた、第１のガス分配プレート上に据え付けられた環状ライナを含むことができる。チャンバは、環状ライナ上に据え付けられた上部プレートを含むことができ、環状ライナおよび上部プレートは両方とも、第１のチャネル内に少なくとも部分的に据え付けられることができる。実施形態において、第１のガス分配プレートおよび第２のガス分配プレートは、同様の形状によって特徴付けられてもよく、各々、ガス分配プレートの周りにリング状に配置された複数の開孔を画定することができる。さらに、ガスボックスは、互いに結合された第１のガスボックスプレートおよび第２のガスボックスプレートを含むことができる。第２のガスボックスプレートは、第１のガスボックスプレートと接触する第２のガスボックスプレートの第１の表面の反対側の第２のガスボックスプレートの第２の表面に沿って、第１の環状支持体と少なくとも部分的に接触することができる。第２のガスボックスプレートは、複数のチャネルを画定することができ、結合された第１のガスボックスプレートおよび第２のガスボックスプレートは、複数のチャネルを通る流路を画定することができる。実施形態において、第１のガスボックスプレートは、複数のチャネルのうちのあるチャネルへのアクセスを提供するポートを画定することができる。さらに、第２のガスボックスプレートは、複数のチャネルから半導体処理チャンバの内部領域へのアクセスを提供する少なくとも１つの入口チャネルを画定することができる。実施形態において、少なくとも１つの入口チャネルは、第１のガスボックスプレートによって画定されるポートの半径方向外側に配置されてもよい。
【００１８】
［００１８］このような技術は、従来技術よりも多くの利点を提供することができる。例えば、この技術は、さもなければプラズマ前駆体によって影響され得るチャンバ部品の改善された保護を可能にすることができる。さらに、この技術は、チャンバ設計に基づいて部品の交換およびアクセスを改善することができる。これらおよび他の実施形態が、それらの利点及び特徴の多くと共に、以下の説明および添付図面と併せてより詳細に説明される。
【００１９】
［００１９］開示された実施形態の性質および利点のさらなる理解が、明細書の残りの部分および図面を参照することによって実現され得る。
【図面の簡単な説明】
【００２０】
【図１】例示的な処理システムの一実施形態の平面図を示す。
【図２】本技術の実施形態による例示的な処理システムの概略断面図を示す。
【図３】本技術の実施形態による例示的な処理チャンバの一部分の概略断面図を示す。
【図４】本技術の実施形態による例示的な処理チャンバのための送達システムの概略断面図を示す。
【図５Ａ】本技術の実施形態による例示的なガス分配プレートの平面図を示す。
【図５Ｂ】本技術の実施形態による例示的なガス分配プレートの平面図を示す。
【図６】本技術の実施形態による例示的な処理チャンバの一部分の部分概略断面図を示す。
【図７】本技術の実施形態による例示的なガス分配プレートの断面平面図を示す。
【図８】本技術の実施形態による例示的な処理チャンバの一部分の概略断面図を示す。
【図９】本技術の実施形態による例示的なガスボックス構成の断面平面図を示す。
【図１０】本技術の実施形態による例示的なガスボックス構成の一部分の断面図を示す。
【図１１】本技術の実施形態による基板をエッチングする方法を示す。
【発明を実施するための形態】
【００２１】
［００３２］添付の図面において、類似の構成要素および／または特徴は、同じ数字参照ラベルを有し得る。さらに、同じタイプの様々な構成要素は、類似の構成要素および／または特徴を区別する文字が参照ラベルの後に続くことによって区別することができる。最初の数字参照ラベルのみが、本明細書で使用される場合、その説明は、文字接尾辞に関係なく同じ最初の数字参照ラベルを有する類似の構成要素および／または特徴のいずれにも適用可能である。
【００２２】
［００３３］半導体処理において、エッチングは、いくつかの理由で実行され得る。ドライエッチングでは、前駆体が、プラズマを通って流されて、様々な半導体材料をエッチングするためのラジカルプラズマ放出物を生成することができる。これらの前駆体は、フッ素、塩素、または他の元素を含む１種以上の腐食性の元素を含むことができる。これらの元素は、エッチングされるべき基板または材料だけでなく、処理が実行されるチャンバ部品にも曝される。その結果、チャンバの露出した表面は、プラズマまたはプラズマによって生成された放出物によってエッチング、スパッタリング、または他の方法で劣化する可能性がある。劣化の程度は、チャンバ部品とエッチングに使用される前駆体との間の反応性に関連し得る。
【００２３】
［００３４］従来の技術は、チャンバ内に交換可能な部品を提供することによって、この劣化をしばしば処理してきた。したがって、コーティングまたは部品自体が劣化すると、部品が除去され、新しい部品と交換され、これが次に、時間とともに劣化する。この劣化と交換は、処理時間と費用がかかるだけでなく、劣化自体が、実行されるプロセスに影響を与える可能性がある。例えば、部品またはコーティングが劣化していると、影響を受けた部品およびコーティングからの粒子が、処理されている基板上に堆積する可能性がある。これは、部品の短絡および不均一な処理を含む生産上の問題を引き起こす可能性がある。
【００２４】
［００３５］多くの半導体チャンバ部品が、アルミニウム製であり得る。塩素系前駆体が処理に使用される場合、塩素および塩素ラジカルは、腐食性であり、露出したアルミニウムのチャンバ部品を急速に損傷する可能性がある。この腐食を低減するための１つの方法は、露出したアルミニウムの部品をコーティングすることである。しかしながら、露出した材料をコーティングすることは、費用がかかり、不完全であり、材料が時間とともに劣化すると、汚れを導入する可能性がある。したがって、より多くの材料がコーティングされるほど、コーティングに問題が生じる可能性が高くなる。
【００２５】
［００３６］本技術は、チャンバに対するエッチャントの影響を低減するために、チャンバ内で代替的な部品を利用する。いくつかの実施形態では、チャンバからプラズマ生成を除去することによって、チャンバ部品へのボンバードメント損傷を低減することもできる。本開示は、開示された技術を利用する特定のエッチングプロセスを機械的に特定するが、これらのシステムおよび方法は、記載されたチャンバ内で起こり得る堆積プロセスおよび洗浄プロセスに等しく適用可能であることが、容易に理解される。このように、この技術は、エッチングプロセスでの使用のみに限定されていると考えられるべきではない。
【００２６】
［００３７］図１は、開示された実施形態による、堆積、エッチング、ベーキングおよび硬化チャンバの処理システム１００の一実施形態の平面図を示す。図において、一対の前方開口型統一ポッド（ＦＯＵＰ）１０２が、様々なサイズの基板を供給し、それらが、ロボットアーム１０４によって受け取られ、低圧保持領域１０６内に入れられ、その後、タンデムセクション１０９ａ〜ｃに配置された基板処理チャンバ１０８ａ〜ｆのうちの１つの中に入れられる。基板ウェハを保持領域１０６から基板処理チャンバ１０８ａ〜ｆに搬送してまた戻すために、第２のロボットアーム１１０が使用されてもよい。各基板処理チャンバ１０８ａ〜ｆは、周期的層堆積（ＣＬＤ）、原子層堆積（ＡＬＤ）、化学気相堆積（ＣＶＤ）、物理的気相堆積（ＰＶＤ）、エッチング、前洗浄、デガス、配向、および他の基板プロセスに加えて、本明細書に記載のエッチングプロセスを含む多くの基板処理工程を行うように装備することができる。
【００２７】
［００３８］基板処理チャンバ１０８ａ〜ｆは、基板ウェハ上に誘電体膜を堆積、アニール、硬化および／またはエッチングするための１つ以上のシステム構成要素を含むことができる。１つの構成では、２対の処理チャンバ、例えば１０８ｃ〜ｄと１０８ｅ〜ｆを用いて、基板上に誘電体材料を堆積させ、第３の対の処理チャンバ、例えば１０８ａ〜ｂを用いて、堆積した誘電体をエッチングしてもよい。別の構成では、３対すべてのチャンバ、例えば１０８ａ〜ｆが、基板上の材料をエッチングするように構成されてもよい。以下に記載されるプロセスのうちの任意の１つ以上が、異なる実施形態において、示された製造システムから分離されたチャンバ内で実行されてもよい。誘電体膜用の堆積、エッチング、アニーリング、および硬化チャンバの追加の構成が、システム１００によって企図されることが理解されよう。以下に記載されるチャンバのいずれも、処理システム１００において利用することができ、前駆体、環境、または制御の特徴を共有する２つの類似のチャンバを含むことができるタンデムチャンバとして含まれてもよい。
【００２８】
［００３９］図２は、本技術の実施形態による例示的な処理システム２００の概略断面図を示す。システムは、処理チャンバ２０５と、遠隔プラズマ源（「ＲＰＳ」）ユニット２１０とを含むことができる。ＲＰＳユニット２１０は、処理チャンバ２０５の周りの１つ以上の位置で処理チャンバ２０５と結合し得る支持部材２１４を有するプラットフォーム２１２上で安定にされてもよい。プラットフォーム２１２と共に追加の支持部材２１４を利用することによって、ＲＰＳユニット２１０の重量は、ＲＰＳユニット２１０の重量に関係する剪断応力または他の応力から部品を保護するために適切に配分され得る。１種以上の前駆体を処理チャンバ２０５に送達するために、送達管２１６が、ＲＰＳユニット２１０と処理チャンバ２０５との間に、またはそれらと結合され得る。ＲＰＳユニット２１０に対する追加の安定および支持を提供するために、フランジアダプタ２１８が、送達管２１６の周りに配置されてもよく、さもなければＲＰＳユニット２１０は、支持重量で送達管２１６を損傷する可能性がある。フランジアダプタ２１８は、プラットフォーム２１２に接触して、ＲＰＳユニット２１０の支持を提供し、ＲＰＳユニット２１０の重量が送達管２１６に及ばないようにすることができる。
【００２９】
［００４０］処理チャンバ２０５は、処理チャンバ２０５へのアクセスを提供するガスボックス２２０を含むことができる。ガスボックス２２０は、処理チャンバ２０５へのアクセス部を画定することができ、実施形態において、アクセス部は、ガスボックス２２０内で中央に画定されるか、または配置され得る。送達管２１６は、ガスボックス２２０のアクセス部内に配置または結合されて、ＲＰＳユニット２１０と処理チャンバ２０５の内部との間の前駆体経路を提供することができる。フランジアダプタ２１８はまた、ＲＰＳユニット２１０の重量の少なくとも一部を分散させるために、上部プレート２２０と接触して、送達管２１６への応力を防止または低減することができる。
【００３０】
［００４１］実施形態において、スペーサ２２２が、処理チャンバ２０５の外壁および内壁を少なくとも部分的に画定することができる。ガス分配アセンブリ２２５が、送達管２１６に近接して処理チャンバ２０５内に配置されることができ、ガス分配アセンブリ２２５は、前駆体またはプラズマ放出物を処理チャンバ２０５内に分配することができる。ポンピングライナ２３０が、処理チャンバ２０５の処理領域内に配置されてもよい。ポンピングライナ２３０は、未反応の前駆体またはプラズマ放出物を処理チャンバ２０５から排出させることができる。ポンピングライナ２３０はさらに、エッチングプロセスでエッチングされた粒子を処理チャンバ２０５から除去して、その後の処理工程中に粒子が基板上に残らないようにすることができる。
【００３１】
［００４２］ペデスタル２３５が、処理チャンバ２０５の処理領域に含まれてもよく、エッチングまたは他のプロセス工程中に基板を支持するように構成されてもよい。ペデスタル２３５は、様々な実施形態において、例えば静電、真空、または重力を含む１つ以上のチャッキング機構を有することができる。ペデスタル２３５は、実施形態において、回転可能または並進可能であってもよく、ガス分配アセンブリ２２５に向かって上昇し、またはガス分配アセンブリ２２５から下降することができる。実施形態において、ペデスタル２３５は、処理チャンバ２０５の中へおよび処理チャンバ２０５から外への基板の移送を助けるための１つ以上のリフトピンを含むことができる。ペデスタル２３５は、処理工程中に基板温度を維持するための加熱または冷却機構を、さらに含んでもよい。
【００３２】
［００４３］ペデスタル２３５は、フィラメントを含むはめ込まれた加熱要素を含むことができ、または、適宜に温度を上昇または低下させる温度制御流体を通すように構成された１つ以上の管またはチャネルを含むことができる。ペデスタル２３５は、セラミックヒータであるかまたはセラミックヒータを含む、基板を支持するためのプラットフォームを含むことができる。セラミックヒータは、実施形態において、約２０℃から１０００℃を超える温度までを含む特定の動作温度に基板を加熱することができる。さらに、セラミックヒータは、実施形態において、基板を、約５０℃より高く、約１００℃より高く、約１５０℃より高く、約２００℃より高く、約２５０℃より高く、約３００℃より高く、約３５０℃より高く、約４００℃より高く、約５００℃より高く、またはより高く、加熱することができる。さらに、セラミックヒータは、実施形態において、基板温度を、約１０００℃未満、約９００℃未満、約８００℃未満、約７００℃未満、約６００℃未満、または約５００℃未満に維持することができる。セラミックヒータはさらに、基板温度を、実施形態において約１００℃〜約５００℃、または実施形態において約３００℃〜約５００℃に加熱または維持するように構成されてもよい。実施形態において、ヒータは、基板温度を約３００℃未満に維持するように構成され、この場合、代替の金属製加熱要素が、セラミックヒータの代わりに使用されてもよい。例えば、コーティングされたアルミニウムヒータが使用されてもよいし、またはアルミニウムもしくは処理されたアルミニウムペデスタル上の埋め込まれたもしくはコーティングされたヒータが、使用されてもよい。
【００３３】
［００４４］処理チャンバ２０５の部品は、エッチングまたは他の処理工程中に動作環境に耐えるように構成されてもよい。処理チャンバ２０５の部品は、例えば硬質の陽極酸化されたアルミニウムを含む陽極酸化または酸化された材料であってもよい。プラズマ放出物または他の腐食性材料と接触し得る処理チャンバ２０５内の各部品は、腐食しないように保護するため処理またはコーティングされてもよい。いくつかの実施形態では、フッ素または塩素を含むプラズマ放出物による腐食を防止するために、代替材料が利用されてもよい。例えば、処理チャンバ２０５内の１つ以上の部品が、実施形態において、セラミックまたは石英であってもよい。特定の例として、ガス分配アセンブリ２２５、スペーサ２２２、ポンピングライナ２３０、またはプラズマもしくは非プラズマ前駆体によって接触され得る任意の部品のうちの１つ以上の部品が、石英もしくはセラミックであってもよく、またはそれらを含んでもよい。さらに、送達管２１６は、石英であってもよいし、または石英を含んでもよく、例えば、送達管２１６内に石英ライナを含んでもよい。送達管は、実施形態において、アルミニウムまたは硬質の陽極酸化されたアルミニウムであってもよく、石英の内側表面によって特徴付けられてもよい。例えば塩素を含む、ＲＰＳユニット２１０内で解離した前駆体によって引き起こされる腐食から内部部品を保護するために、ＲＰＳユニット２１０が、石英でライニングされてもよい。ＲＰＳユニット２１０は、陽極酸化された金属を含んでもよく、ＲＰＳユニット２１０のチャンバキャビティが、さらに腐食を防止するために、石英でライニングされてもよい。
【００３４】
［００４５］ＲＰＳユニット２１０からの遠隔プラズマを利用することによって、処理チャンバ２０５は、プラズマ生成によって引き起こされる内部腐食からさらに保護され得る。実施形態において、処理チャンバ２０５は、プラズマを生成するように構成されず、プラズマ生成は、ＲＰＳユニット２１０内で処理チャンバ２０５の外部で実行され得る。実施形態において、容量結合プラズマなど（他のプラズマ源が使用されてもよい）による、追加のプラズマ処理が、処理チャンバ２０５内で行われてもよい。例えば、ガスボックス２２０およびガス分配アセンブリ２２５の１つ以上の部品が、容量結合プラズマが生成され得る電極として利用されてもよい。プラズマ生成から基板との相互作用までの経路長を短縮することによりプラズマ放出物の再結合の面で役に立つように、チャンバ内の追加のまたは代替のプラズマ部品が、使用されてもよい。
【００３５】
［００４６］プラズマによって解離された前駆体は、一定の滞留時間後に再結合する。例えば、塩素系前駆体がＲＰＳユニット２１０内で解離した後、前駆体またはプラズマ放出物は、送達管２１６を通って処理チャンバ２０５に流入し、次にペデスタル２３５上の基板と相互作用する。ラジカル放出物の移動経路の長さに応じて、放出物またはラジカルは再結合し、ラジカル前駆体の反応性を少なくとも部分的に失い得る。さらに、様々な管またはチャネルを通るなど移動経路が複雑になればなるほど、プラズマ放出物と接触する各部品が、腐食しないよう保護するために処理またはコーティングされ得るので、より多くの保護物が、システム内に含まれ得る。したがって、処理チャンバ２０５は、ＲＰＳユニット２１０から処理チャンバ２０５への、次いで排気プレナム２３０を通る比較的直線的な移動ラインを含み得る。さらに、一旦処理チャンバ２０５内に入ると、前駆体またはプラズマ放出物は、ガス分配アセンブリ２２５の１つ以上のインラインの部品を通って移動して、基板に接触することができる。ガス分配アセンブリ２２５の部品は、基板に向かう流れの均一性を改善するために利用され得るが、それ以外に、処理チャンバ２０５内の滞留時間ならびにプラズマ放出物の再結合を減少させるための前駆体流路の長さの短縮を維持するために、利用され得る。
【００３６】
［００４７］図３は、本技術の実施形態による例示的な処理チャンバ２０５の一部分の概略断面図を示す。図３は、図２のガス分配アセンブリ２２５の部品の部分図を含み、前述したものと同様の部品を含むことができる。図３に示す処理チャンバ２０５は、例えば、送達管２１６、フランジアダプタ２１８、ガスボックス２２０、およびスペーサ２２２を含むことができる。さらに詳しく示されているように、スペーサ２２２は、ガスボックス２２０が結合される第１の表面３２１によって特徴付けられ得る。スペーサ２２２は、実施形態において、第１の表面３２１の内側部分に凹状棚部３２３を画定することができる。内側部分は、例えば、部品に対してもしくはチャンバに対して半径方向に処理チャンバ２０５の中心軸の方に位置する部分であってもよく、または処理チャンバ２０５の内部に面する部分であってもよい。図に示されるように、凹状棚部３２３は、スペーサ２２２の第１の表面３２１の、処理チャンバ２０５の内部に向かう側に形成され、ガスボックス２２０の結合位置に近接して配置されてもよい。ガスボックス２２０は、実施形態において、凹状棚部３２３を少なくとも部分的に覆ってもよく、凹状棚部３２３を完全に覆ってもよい。
【００３７】
［００４８］支持ブラケット３０５が、スペーサ２２２の凹状棚部３２３に据え付けられ得る。支持ブラケット３０５は、スペーサ２２２の第２の表面３２４に沿って延びることができる。スペーサ２２２の第２の表面３２４は、処理チャンバ２０５の内部に面し、実施形態において、第１の表面３２１に隣接するスペーサ２２２の表面とすることができる。支持ブラケット３０５は、スペーサ２２２の第２の表面３２４に沿って凹状棚部３２３からほぼまたは本質的に直角に延びることができる。支持ブラケット３０５は、支持ブラケット３０５から処理チャンバ２０５内に延びる支持棚部３０７を提供する向きに応じて、ＳまたはＺ形状によって特徴付けられてもよい。支持ブラケット３０５は、環状形状を有し、処理チャンバ２０５の内部の周りに延びることができる。ガスケットまたはＯリング３０９が、支持ブラケット３０５に隣接して配置されてもよく、処理チャンバ２０５の構成において支持ブラケット３０５から半径方向外側にあってもよい。ガスケット３０９は、ガスボックス２２０とスペーサ２２２との間に配置されて、部品および支持ブラケット３０５の周りに流体シールを提供することができる。ガスボックス２２０がスペーサ２２２と結合されるとき、ガスケットまたはＯリング３０９が圧縮されて、部品間にシールを形成し得る。
【００３８】
［００４９］さらに図示されるように、ガスボックス２２０の一部が、ガスボックス２２０が結合されるスペーサ２２２の第１の表面３２１を越えて延びて、スペーサ２２２の第２の表面３２４または支持ブラケット３０５と平行に少なくとも部分的に延びてもよい。図示のように、ガスボックス２２０の一部が、スペーサ２２２の第１の表面３２１の平面を横切って、スペーサ２２２の第２の表面３２４と平行に処理チャンバ２０５内を延びる。ガスボックス２２０の一部は、処理チャンバ２０５内のガスボックス２２０の凹部であってもよく、ガスボックス２２０の凹部は、スペーサ２２２の第２の表面３２４に沿って延びる支持ブラケット３０５の一部に隣接して配置されてもよい。実施形態において、ガスボックス２２０は、完全に平行に延びていなくてもよく、スペーサ２２２の第２の表面３２４に向かう、またはスペーサ２２２の第２の表面３２４から離れるように、ある角度で延びていてもよい。支持ブラケット３０５は、スペーサ２２２の第２の表面３２４と、スペーサ２２２の第２の表面３２４と平行に少なくとも部分的に延びるガスボックス２２０の部分との間に、少なくとも部分的に配置されてもよい。支持ブラケット３０５は、実施形態において、スペーサ２２２とガスボックス２２０との間に間隔を空けて配置されてもよいし、または、スペーサ２２０の第２の表面３２４、もしくはスペーサ２２０の第２の表面３２４と平行に少なくとも部分的に延びるガスボックス２２０の部分のうちの一方もしくは両方と直接接触してもよい。
【００３９】
［００５０］基板との相互作用のための処理チャンバ２０５の処理領域への前駆体またはプラズマ放出物の均一な流れを提供するように構成されたガス分配プレート３１０が、支持ブラケット３０５に据え付けられてもよい。実施形態において、ガス分配プレート３１０は、追加の結合材料なしで支持ブラケット３０５に据え付けられてもよく、支持棚部３０７に直接据え付けられてもよい。環状ライナ３１２が、ガス分配プレート３１０上に据え付けられまたは配置され、支持ブラケット３０５のさもなければ露出していた領域または内部表面を覆うように、処理チャンバ２０５の内部の周りに延びることができる。
【００４０】
［００５１］上部プレート３１４が、環状ライナ３１２上に配置または据え付けられ、処理チャンバ２０５の内部に面するガスボックスの表面に近接して配置され得る。上部プレート３１４は、送達管２１６からの出口の周りに延びてもよく、前駆体またはプラズマ放出物の流れが、チャンバの内部に面するガスボックス２２０の表面に接触するのを低減または防止するように、送達管２１６からの出口に直接接触してもよい。さらに、上部プレート３１４は、ガスボックス２２０によって画定されたアクセス部の外径を越えてまたは外径内に延びることができ、送達管２１６または送達管２１６の出口に配置されたアダプタと直接接触してもよいし、しなくてもよい。実施形態において、上部プレート３１４とガスボックス２２０との間に間隙が存在してもよく、または上部プレート３１４は、同じ高さで直接に、ガスボックス２２０と接触してもよい。実施形態において、間隙は、５ｃｍ未満であってもよく、約４ｃｍ以下、約３ｃｍ以下、約２ｃｍ以下、約１ｃｍ以下、約０．５ｃｍ以下、約０．１ｃｍ以下、または約０ｃｍであってもよく、０ｃｍの場合、上部プレート３１４は、ガスボックス２２０と直接接触する。上部プレート３１４は、送達管２１６が上部プレート３１４と接触するかまたは交わる位置に開孔を画定する平らなプレートであってもよい。上部プレート３１４は、その他の点では、ガスボックス２２０を前駆体またはプラズマ放出物への曝露から保護するための中実の設計であってもよい。
【００４１】
［００５２］ガス分配プレート３１０、環状ライナ３１２、および上部プレート３１４のうちの１つ以上が、図２のガス分配アセンブリ２２５を構成することができる。これらの部品の各々は、プラズマ放出物および前駆体から不活性であるように、またはプラズマ放出物および前駆体からの影響が低減されるように、コーティングまたは設計されてもよい。例えば、ガス分配プレート３１０、環状ライナ３１２、および上部プレート３１４は、それぞれ、実施形態において、石英から作製されるか、もしくは石英を含んでもよいし、または、フッ素もしくは塩素を含む腐食性材料に対して非反応性であるかもしくは反応性が低い材料で作製もしくはコーティングされてもよい。例えば、ガス分配プレート３１０、環状ライナ３１２、または上部プレート３１４のいずれかが、セラミックであってもよく、またはコーティングもしくは陽極酸化されたアルミニウムであってもよい。ガス分配プレート３１０は、前駆体またはプラズマ放出物を送達管２１６から処理チャンバ２０５の処理領域内に均一に分散させることができ、環状ライナ３１２および上部プレート３１４は、処理チャンバ内のさらなる部品を保護するために、使用することができる。例えば、前駆体またはプラズマ放出物が、送達管２１６から分配されると、前駆体は、ガス分配アセンブリ２２５内で半径方向外側に流れ、ガス分配プレート３１０と環状ライナ３１２と上部プレート３１４との間に画定されるガス分配アセンブリ２２５のキャビティを少なくとも部分的に満たすことができる。環状ライナ３１２および上部プレート３１４は、反応性の前駆体またはプラズマ放出物が、ガス分配プレート３１０を通って分配されるまたは流される前にガスボックス２２０および支持ブラケット３１２に接触することを、防止することができる。
【００４２】
［００５３］前駆体が、ガス分配プレート３１０を通って分配されると、流れは、支持ブラケット３０５またはスペーサ２２２に少なくとも部分的に接触する可能性がある。この接触は、チャンバを通る加圧されたまたは真空の流れに基づいて最小化され得る。したがって、送達管２１６とガス分配プレート３１０との間の処理チャンバ２０５の領域は、前駆体がガス分配プレート３１０を通って流れた後よりも、前駆体のチャンバ内での滞留時間が長い場所であり得る。支持ブラケット３０５およびガスボックス３１０の内部に面する表面を含む、処理チャンバ２０５のさもなければ露出していた部分を、それぞれ環状ライナ３１２および上部プレート３１４で覆うことによって、チャンバ部品の寿命を改善することができ、処理チャンバ２０５の寿命にわたって交換コストを低減することができる。スペーサ２２２および支持ブラケット３０５の少なくとも一部分が、アルミニウムであってもよく、ガス分配プレート３１０を通って分配されたまたは流された後の前駆体またはプラズマ放出物と接触し得る。したがって、スペーサ２２２および支持ブラケット３０５、またはこれらの部品の少なくとも露出した表面が、それらの劣化を低減するために、硬質の陽極酸化されたアルミニウムなどの材料でコーティングまたは構成され得る。さらに、これらの材料は、石英、セラミック、または他の非反応性材料もしくは低反応性材料から構成されてもよいし、またはそれらを含んでもよい。
【００４３】
［００５４］図４は、本技術の実施形態による例示的な処理チャンバのための送達システム４００の概略断面図を示す。図４は、図２および図３に示されたような部品を含むことができ、例えば、ＲＰＳユニット２１０、プラットフォーム２１２、送達管２１６、フランジアダプタ２１８、ガスボックス２２０および上部プレート３１４を含むことができる。図示されているように、送達管２１６は、ガスボックス２２０によって画定されたアクセス部において処理チャンバ２０５をＲＰＳユニット２１０と結合することができる。腐食性であり得るプラズマ放出物への曝露のため、送達管２１６は、硬質の陽極酸化されたアルミニウムまたはコーティングされたアルミニウムなどの、コーティングまたは保護された材料から構成されるか、またはそれらを含んでもよい。実施形態において、送達管２１６はまた、プラズマ放出物に曝され得る送達管２１６の内部に沿って、石英ライナなどのライナを含んでもよい。
【００４４】
［００５５］１つ以上のガスケットまたはＯリング４０５ａ〜ｃが、ＲＰＳユニット２１０とプラットフォーム２１２、プラットフォーム２１２とフランジアダプタ２１８、フランジアダプタ２１８とガスボックス２２０などの部品間に、含まれてもよい。実施形態において、送達管２１６をＲＰＳユニット２１０に結合するアダプタ４１０が、含まれてもよい。アダプタ４１０は、少なくとも部分的に石英であってもよく、フランジまたはシムを含むことができる。Ｏリングもしくはガスケット４０５ａ、ＲＰＳユニット２１０、またはプラットフォーム２１２を腐食させる可能性のあるプラズマ放出物によって接触されることから、Ｏリングまたはガスケット４０５ａを含む部品を保護するために、アダプタ４１０のフランジまたはシムは、ＲＰＳユニット２１０と送達管２１６との間の改善されたシールを可能にすることができる。フランジまたはシムは、実施形態において、フォイルＯリングであってもよく、または部品間にシールを提供する他の材料であってもよく、さらに、それらは、コーティング、保護層、または材料選択などで、前駆体またはプラズマ放出物による腐食に対して不活性であるか、または腐食から保護されていてもよい。送達管２１６はまた、送達管２１６の出口に結合されたアダプタ４１５を含むことができる。実施形態において、アダプタ４１５は、ガスボックス２２０または上部プレート３１４と結合されてもよい。実施形態において、アダプタ４１５は、送達管２１６を通って送達される前駆体またはプラズマ放出物へのガスボックス２２０の曝露を低減または防止するような形状に作られた、テーパ形状にされた、フランジを付けられた、または他の方法で調整され得る上部プレート３１４の適合部であってもよい。
【００４５】
［００５６］図５Ａ〜図５Ｂは、本技術の実施形態によるガス分配プレート３１０の例示的な構造を示す。図５Ａに示すように、ガス分配プレート３１０ａは、ガス分配プレート３１０ａの中心軸から半径方向外側に広がる開孔の１つ以上のリングを含むことができる。リングは、ガス分配プレート３１０ａを通る流れの量を調整するためにグループ化されてもよいし間隔を置かれて配置されてもよい任意の数の開孔を含むことができる。図示されているように、ガス分配プレート３１０ａは、開孔の４つのリングを含み、半径方向外側の各リングが、より内側のリングよりも大きな直径によって特徴付けられる開孔を含む。実施形態において、リングの数ならびに開孔のサイズおよび形状の両方に調整を行うことができる。例えば、ガス分配プレートは、ガス分配プレート３１０ａの中心軸から半径方向外側に広がる２，３，４，５，６，７，８，９，１０、またはそれより多いリングを有してもよい。さらに、各リングに含まれる開孔の数ならびにリング内の各開孔間の間隔を調整することができる。例えば、各リングは、リングごとに、約３以下、約４以下，約５以下，約６以下，約８以下，約１０以下，約１５以下，約２０以下，約２５以下，約３０以下，約３５以下，約４０以下，約４５以下，約５０以下，約６０以下，約７０以下，約８０以下，約９０以下、またはそれより多い開孔を有することができる。さらに、各開孔間の間隔は、リングとリングの間だけでなく、１つのリング内でも、１つの開孔から次の開孔まで同様であっても異なっていてもよい。そのような調整は、ガス分配プレート３１０ａを通る流れを最適化するために使用することができる。
【００４６】
［００５７］図５Ｂは、等しいサイズの開孔の複数のリングを有するガス分配プレート３１０ｂを示す。図示されているように、１つ以上のリングが、隣接するリングから回転またはオフセットされていてもよい。そのような設計は、ガス分配プレート３１０ｂを通るより均一な流れを提供することができる。開孔は、特定のリング内またはリングとリングの間で、ガス分配プレート全体にわたって同様のまたは異なるサイズを有することができる。さらに、開孔間の間隔は、リング内またはリング間で均一であってもよいし、または異なっていてもよい。例えば、例示的なガス分配プレート３１０ｂは、約０．１ｍｍ〜約１０ｍｍの均一な開孔サイズを有する複数のリングを含むことができる。開孔サイズは、実施形態において、約１ｍｍ〜約５ｍｍ、または約２ｍｍ〜約４ｍｍであってもよい。さらに、各リングは、約３〜約１００個の開孔またはそれより多い開孔を有することができる。例えば、ガス分配プレート３１０ｂの内側の方のリングは、より少ない開孔を含むことができ、ガス分配プレート３１０ｂの中心から半径方向外側のリングは、より多くの開孔を含むことができる。したがって、リング内の任意の小さな範囲の開孔は、特に、より大きな範囲によって含まれる。図５Ａおよび図５Ｂは、ガス分配プレート２１０の設計および構成の単なる例であり、開孔の位置、サイズおよび形状に対する任意の数の修正が、本技術によってさらに包含される。
【００４７】
［００５８］図６は、本技術の実施形態による例示的な処理システム６００の一部分の概略断面図を示す。処理システム６００は、例えば、図２に示すシステムと同様の部品を含むことができる。処理システム６００は、支持部材６１４を有するプラットフォーム６１２上に配置された遠隔プラズマ源（「ＲＰＳ」）ユニット６１０を含むことができる。ＲＰＳユニット６１０、プラットフォーム６１２、および支持部材６１４は、前述したものと同様であってもよい。処理システム６００は、追加のフランジアダプタ６１８によって支持される送達管６１６をさらに含むことができ、送達管６１６が、ＲＰＳユニット６１０と結合されてもよい。送達管６１６およびフランジアダプタ６１８は、前述したものと同様の特性を有していてもよいが、寸法は、処理チャンバ６０５との違いに基づいて図２の寸法とは異なっていてもよい。例えば、送達管６１６およびフランジアダプタ６１８の両方が、図２に示す処理システムのそれらよりも短い長さ寸法を有してもよい。これらの相違点およびその利点を以下に詳細に説明する。
【００４８】
［００５９］図２および図３に示すように、処理チャンバ２０５は、処理チャンバ２０５内で下げられ、スペーサ２２２上に配置された支持ブラケット２０５を有するヒンジ付き設計を含むことができる。次いで、ガスボックス２２０をそれら部品の上に配置し、スペーサ２２２と結合させることができる。この設計は、支持ブラケット２０５を交換のために取り外すこと、ならびに処理チャンバ２０５の製造中に支持ブラケット２０５を挿入することを困難にする可能性がある。潜在的に、支持ブラケット２０５は、最初の配置または交換中に、スペーサ２２２を引っかく可能性がある。スペーサ２２２がコーティングまたは陽極酸化仕上げを有する場合、表面欠陥またはスクラッチは、前駆体またはプラズマ放出物と接触した場合に腐食または早期に腐食する場所を、提供し得る。したがって、処理チャンバ６０５は、製造および交換を容易にするための特徴をさらに含む。
【００４９】
［００６０］処理チャンバ６０５は、送達管６１６のための半導体処理チャンバ６０５へのアクセス部を画定するガスボックス６２０を含む。ガスボックス６２０は、送達管６１６の遠位領域の周りに結合されてもよく、または送達管６１６は、実施形態において、ガスボックス６２０を貫通してもよい。ガスボックス６２０は、フランジアダプタ６１８が結合される平坦なまたは実質的に平坦な表面を含むことができる。処理チャンバ６０５はまた、ガスボックス６２０の平坦なまたは実質的に平坦な表面の反対側の表面に沿ってガスボックス６２０に接触する第１の環状支持体６２２を含むことができる。第１の環状支持体６２２は、環状支持体の第１の表面でガスボックス６２０と接触することができる。第１の環状支持体６２２およびガスボックス６２０は共同で、処理チャンバの内部領域の周りの第１のチャネル６２３の少なくとも一部を画定することができる。第１のチャネル６２３は、ガスボックスと第１の環状支持体との境界面に配置されてもよい。第１の環状支持体６２２は、第１の環状支持体の内径に凹状棚部を画定することができる。ガスボックス６２０は、ガスボックス６２０の平坦または実質的に平坦な表面の反対側の表面内に凹状棚部を画定することができる。ガスボックス６２０によって画定される凹状棚部は、第１の環状支持体６２２の凹状棚部の位置と一致するように画定されて、第１のチャネル６２３を画定することができる。ガス分配アセンブリ６２５が、第１のチャネル内に配置または据え付けられてもよい。
【００５０】
［００６１］ガス分配アセンブリ６２５は、前述のように、ガス分配プレート、環状ライナ、および上部プレートを含んでもよいし、またはより少ない数の部品を含んでもよい。例えば、ガス分配アセンブリ６２５は、第１のチャネル６２３内に据え付けられたガス分配プレートであってもよい。実施形態において、環状ライナが、ガス分配プレート上に据え付けられ、上部プレートが、環状ライナ上に据え付けられ、環状ライナと上部プレートの両方が、第１のチャネル６２３内に少なくとも部分的に据え付けられてもよい。ガス分配アセンブリ６２５の部品は、第１のチャネル６２３、ガスボックス６２０、および第１の環状支持体６２２の表面を、送達管６１６を介して送達される前駆体またはプラズマ放出物への曝露から保護するように配置され得る。第１のチャネル６２３が、ガス分配アセンブリ６２５と同等の寸法を有し、それゆえ、ガス分配アセンブリは、第１のチャネル６２３内で同じ高さであってもよい。他の実施形態において、第１のチャネルは、前述のような上部プレートとガスボックス６２０との間と同様に、ガス分配アセンブリの外径に沿って、１つ以上の間隙を有してもよい。
【００５１】
［００６２］いくつかの実施形態では、第２の環状支持体６２４が含まれて、第１の環状支持体６２２の第１の表面の反対側の第１の環状支持体６２２の第２の表面で第１の環状支持体６２２と接触してもよい。第２の環状支持体６２４は、第１の環状支持体６２２と同様の形状を有することができる。いくつかの実施形態では、第２の環状支持体６２４は、第１の環状支持体６２２よりも大きい厚さを有してもよいし、または小さい厚さを有してもよい。第２の環状支持体６２４もまた、第１の環状支持体６２２と同様に、第２の環状支持体の内径に凹状棚部を画定することができる。第１の環状支持体６２２の第２の表面と共に第２の環状支持体６２４の凹状棚部は、各々、半導体処理チャンバの内部領域の周りに第２のチャネル６２６を少なくとも部分的に画定することができる。図示されていないが、第１の環状支持体６２２もまた、ガスボックス６２０と同様に、第１の環状支持体の第２の表面内に凹状棚部を画定してもよい。この凹状棚部は、ガス分配アセンブリ６２５の部品と同様の追加の部品を収容するために、第２のチャネル６２６の高さを増加させることができる。
【００５２】
［００６３］処理チャンバ６０５は、第２のチャネル６２６内に据え付けられた第２のガス分配プレート６２７を、さらに含むことができる。第２のガス分配プレート６２７およびガス分配アセンブリ６２５のガス分配プレートは、同様の設計であっても、異なる設計であってもよく、両方とも、石英または前述したような材料で作製されても、またはそれらを含んでもよい。ガス分配プレートは、互いに同様の開孔配置を有してもよいし、または互いに異なる配置を有してもよく、いずれかまたは両方のガス分配プレートが、図５Ａ〜図５Ｂに関して論じた配置と同様の配置を含んでもよい。例えば、ガス分配アセンブリ６２５の第１のガス分配プレートおよび第２のガス分配プレート６２７は、同様の形状によって特徴付けられてもよく、各々、個々のガス分配プレートの周りにリング状に配置された複数の開孔を画定してもよい。実施形態において、プレートは、プレートを通る流れの均一性を向上させるために、整列された開孔を有してもよいし、または互いからオフセットされた開孔を有してもよい。図示されていないが、処理チャンバ６０５は、ペデスタル、ヒータ、および図２に関連して説明した他の部品をさらに含むことができることを、理解されたい。
【００５３】
［００６４］ガスボックス６２０、第１の環状支持体６２２、および第２の環状支持体６２４は、処理チャンバ６０５の内部領域または処理領域の寸法を少なくとも部分的に画定するだけでなく、処理チャンバ６０５の外側寸法を少なくとも部分的に画定するように、同様の外径を有し、積層されてもよい。部品は、図示のように積み重ねられて、第１のチャネル６２３および第２のチャネル６２６を画定することができる。この積み重ねられた設計ならびにガスボックス６２０の平坦な表面は、より短い支持部材６１４、アダプタフランジ６１８、および送達管６１６を可能にし得る。この異なるガスボックス６２０の設計は、処理チャンバ６０５の中に延びる凹部を含まないので、これらの部品の高さは、低減され得る。したがって、送達管６１６は、処理チャンバ６０５の内部にアクセスするための長さを短くすることができる。送達管の長さを短縮することによって、処理チャンバ６０５に送達される前駆体またはプラズマ放出物は、基板へのより短い流路を有することができる。流路の長さを短縮することによって、プラズマ前駆体の解離が維持され、エッチングプロセスは、プラズマ放出物生成からエッチングされる基板または材料との接触までのより長い流路を有するチャンバ内で行われる場合よりも、効率的になり得る。
【００５４】
［００６５］図７は、本技術の実施形態による例示的なガス分配プレート７２５の断面平面図を示す。図は、上述したような、ガス分配プレート７２５と第１の環状支持体６２２との結合を、送達管６１６からの視点と共に示す。図示されているように、ピン６３１が、第１のチャネル６２３内のプレートの動きを防止または低減するように、ガス分配プレート７２５を支持し配置するために、含まれる。図２におけるような支持ブラケットに据え付けられているのとは異なり、第１の環状支持部材６２２を利用することによって、ガス分配プレート７２５の適切な位置または向きを保証するように、直接的な接続を行うことができる。処理チャンバ６０５は、少なくとも１つのピン６３１を含むことができ、例えば、ガス分配プレート７２５を第１の環状支持体６２２に取り外し可能に結合することができるピン６３１ａ、６３１ｂ、６３１ｃなどの任意の数のピンを含むことができる。
【００５５】
［００６６］ピンは、実施形態において、第１の環状支持体６２２を貫通して延びて、追加的に第２のガス分配プレート６２７を第２の環状支持体６２４にピン留めしてもよいし、または実施形態において、第１の環状支持体６２２内で止められてもよい。ピンは、単にプレートを相対位置に保持するだけでもよいし、または特に、結合部材の取り外しなしでの部品の引き出しを防止する、例えばボルト、ネジ等の結合部材などで、プレートを所定の位置に固定してもよい。製造中、ガス分配プレート７２５は、ガスボックス６２０が第１の環状支持体６２２と結合する前に、ピン上に動かされてもよい。その場合、ガス分配プレート７２５が処理中に動くことを防止または実質的に防止することができ、さもなければ、１つ以上の部品に引っかき傷がついたり、コーティング層または保護層が除去または損傷されたりする可能性がある。
【００５６】
［００６７］図８は、本技術の実施形態による例示的な処理チャンバ８００の一部分の概略断面図を示す。処理チャンバ８００は、図６の処理チャンバ６０５と同様であってもよく、送達管８１６、アダプタフランジ８１８、およびガスボックス８２０が調整されている。処理システムのいくつかの部品は示されていないが、他の部品は、先に説明した通りであってもよい。示されているように、アダプタフランジ８１８は、ＲＰＳユニットをバイパスし、送達管８１６および処理チャンバ８０５に入るように構成された前駆体のためのアクセスを提供するポート８２５およびチャネル８２７の少なくとも一部を画定することができる。送達管８１６もまた、ＲＰＳユニットとガスボックス８２０との間にチャネル８２７の少なくとも一部分を画定して、半導体処理チャンバ８２０への前駆体の送達を可能にすることができる。送達管８１６はまた、ＲＰＳユニットからの前駆体またはプラズマ放出物のためのアクセスを提供する１つ以上の開孔８２８を画定することができる。実施形態において、開孔８２８は、送達管を回って間隔を空けて配置され、チャネル８２７を囲んでアクセスを提供することができる。
【００５７】
［００６８］インサート８２９が、図に示すように、送達管８１６内に配置されてもよい。インサート８２９は、ＲＰＳユニットおよび送達管８１６のチャネル８２７の少なくとも一部からインサート８２９の混合領域８３０へのアクセスを提供することができる。インサート８２９の混合領域８３０は、複数の混合セクションによって特徴付けることができる。第１の混合セクション８３１は、インサート８２９の混合領域８３０へのアクセス部からのテーパ形状によって特徴付けることができる。混合領域へのアクセス部は、実施形態において、送達管８１６の内径以下の直径を有する。インサート８２９の混合領域８３０は、第１の混合セクション８３１に近接した位置から送達管８１６の出口までの広がる内径によって特徴付けられる第２の混合セクション８３３を、さらに含むことができる。
【００５８】
［００６９］混合領域８３０は、送達管８１６の内径よりも小さい内径を有する円筒形状によって特徴付けられる第３の混合セクション８３５を、さらに含むことができる。例えば、第３の混合セクション８３５は、送達管８１６の内径の約９０％以下の内径を有してもよい。第３の混合セクション８３５の内径はまた、実施形態において、送達管８１６の内径の約８５％以下、約８０％以下、約７５％以下、約６５％以下、約６０％以下、約５５％以下、約５０％以下、約４５％以下、約４０％以下、約３５％以下、約３０％以下、約２５％以下、約２０％以下、約１５％以下、約１０％以下、または約５％以下であってもよい。第３の混合セクションの内径はまた、実施形態において、送達管８１６の内径の約５％以上、約１０％以上、約１５％以上、約２０％以上、約２５％以上、約３０％以上、約３５％以上、約４０％以上、約４５％以上、約５０％以上、約５５％以上、約６０％以上、約６５％以上、約７０％以上、約７５％以上、約８０％以上、約８５％以上、約９０％以上、または約９５％以上であってもよい。混合セクションおよびインサートを含めることによって、チャネル８２７を通って導入された前駆体は、処理チャンバ８０５に入る前に、ＲＰＳユニットを通って導入された前駆体またはプラズマ放出物とより均一に混合され得る。
【００５９】
［００７０］図８に示すように、ガスボックス８２０は、処理チャンバ８０５に入るまで、ＲＰＳユニットから導入された前駆体またはプラズマ放出物から分離した状態に維持され得るバイパス前駆体のためのさらなるアクセスを可能にするために、複数のプレートで作製されてもよい。ガスボックス８２０は、実施形態において、互いに連結された第１のガスボックスプレート８４０および第２のガスボックスプレート８４２を含むことができる。第２のガスボックスプレート８４２は、第２のガスボックスプレート８４２の第２の表面に沿って第１の環状支持体６２２と少なくとも部分的に接触してもよい。ガスボックスプレート８４２の第２の表面は、第１のガスボックスプレート８４０と接触している第２のガスボックスプレート８４２の第１の表面の反対側であってもよい。第２のガスボックスプレート８４２は、実施形態において、複合チャネルまたは複数のチャネル８４５を画定することができる。第１のガスボックスプレート８４０が第２のガスボックスプレートと結合されるとき、流路が、複合チャネルまたは複数のチャネル８４５を通って画定され得る。第１のガスボックスプレート８４０は、複数のチャネル８４５のうちの少なくとも１つのチャネルへのアクセスを提供するポート８４７をさらに画定することができる。バイパス前駆体が、ポート８４７を通って導入され、プラズマ放出物とは別に処理チャンバに流入することができる。
【００６０】
［００７１］図９は、本技術の実施形態による例示的なガスボックス８２０構成の断面平面図を示す。上述したように、ガスボックス８２０は、互いに結合された第１のガスボックスプレート８４０と第２のガスボックスプレート８４２とを含むことができる。ガスボックス８２０の２つのプレートは、送達管８１６のためのアクセス部を画定する。複合チャネルと見なされてもよい複数のチャネル８４５が、第２のガスボックスプレート８４２内に画定される。第１のガスボックスプレート８４０のポート８４７は、複数のチャネル８４５へのアクセス、およびＲＰＳユニットをバイパスすることができる前駆体のためのポート８４７からの流路へのアクセスを提供することができる。複数のチャネル８４５は、ポート８４７を通って導入された前駆体を処理チャンバ８０５内により均一に分散させるための流れパターンを提供することができる。複数のチャネル８４５は、ポート８４７から導入されたバイパス前駆体の再帰的な流れを複数のチャネル８４５にわたって生成するように画定されてもよい。
【００６１】
［００７２］第２のガスボックスプレート８４２は、複数のチャネル８４５から半導体処理チャンバ８０５の内部領域へのアクセスを提供する、入口チャネルなどの少なくとも１つのチャネル９４９を、さらに画定することができる。第２のガスボックスプレート８４２は、処理領域内への前駆体のより均一な流れを提供するための複数のチャネル９４９を、さらに画定することができる。第２のガスボックスプレート８４２によって画定されたチャネル９４９は、実施形態において、第１のガスボックスプレート８４０によって画定されたポート８４７の半径方向外側に配置され、または位置してもよい。このような構成は、第２のガスボックスプレート８４２内のチャネル９４９を通って処理チャンバ８０５に入る前に、チャネル８４５を通る前駆体のより均一な分布を提供することができる。
【００６２】
［００７３］図１０は、本技術の実施形態による例示的なガスボックス８２０の構成の一部分の断面図を示す。上述したように、ガスボックス８２０は、第１のガスボックスプレート８４０と第２のガスボックスプレート８４２とを含むことができる。第２のガスボックスプレート８４２は、複数のチャネル８４５と、前述の処理チャンバ８０５へのアクセスを提供する１つ以上の入口チャネル９４９とを、画定することができる。前駆体は、ＲＰＳユニットをバイパスし、入口チャネル９４９を通って処理チャンバに入り、前述のガス分配アセンブリ６２５などのガス分配アセンブリに接触することができる。ガス分配アセンブリ６２５は、バイパス前駆体がガス分配アセンブリ６２５に入り、処理のために基板に分配されることを可能にする１つ以上の開孔１０２５を含み得る上部プレート１０２０を含むことができる。さらに、または代わりに、上部プレート１０２０は、開孔１０２５を含まなくてもよく、この場合、処理チャンバ９４９に入るバイパス前駆体は、ガス分配アセンブリ６２５の周りを通って、処理チャンバの処理領域に入ることができる。ガス分配アセンブリ６２５が据え付けられることができる第１の環状支持体は、バイパス前駆体がガス分配アセンブリ６２５を通り過ぎることができるノッチを画定してもよい。その場合、バイパス前駆体は、ガス分配アセンブリ６２５を通過した後まで、ＲＰＳユニットから分配された前駆体またはプラズマ放出物から流体的に分離した状態に維持され得る。実施形態において、ガス分配アセンブリ６２５はまた、バイパス前駆体が上部プレート１０２０の開孔１０２５を通ってガス分配アセンブリ６２５に確実に入るようにするために、ガスボックス８２０の側壁と同一平面に位置してもよい。
【００６３】
［００７４］図１１は、本技術の実施形態による基板をエッチングする方法１１００を示す。方法１１００は、工程１１１０において、プラズマを発生させながら塩素含有前駆体をＲＰＳユニットに送達して、プラズマ放出物を生成することを、含むことができる。工程１１２０において、プラズマ放出物が、処理チャンバ内に入って、石英ガス分配プレートを通って流されることができる。工程１０３０において、プラズマ放出物は、処理チャンバ内に収容された基板をエッチングすることができる。処理チャンバは、これまでのセクションで説明したチャンバのいずれかであってよい。エッチング工程は、実施形態において、約３００℃〜約５００℃の温度で実施されてもよく、実施形態において、約３００℃未満であってもよい。
【００６４】
［００７５］エッチングプロセスは、ＲＰＳユニットをバイパスする１種以上の前駆体を、前述のポートのいずれかを通って導入することを、さらに含むことができる。チャンバは、実施形態において、真空下に維持されてもよく、約１トール以上、例えば約３トールまで、約５トールまで、約１０トールまで、約２０トールまで、またはそれ以上に加圧されてもよい。前述の図面に関連して記載したチャンバの１つで方法１１００を実施する場合、チャンバ部品が、プラズマ放出物から保護されてもよい。その結果、チャンバ部品は、保護されていない部品ほど急速に劣化することがなく、従来のチャンバ部品よりもメンテナンスが少なく、洗浄が少なく、交換回数が少なくて済む可能性がある。さらに、記載されたチャンバは、遠隔プラズマユニットから基板までのより短い流路を可能にし、解離した塩素の再結合が少ないために、エッチング工程の効率を高めることができる。
【００６５】
［００７６］前述の説明では、説明の目的で、本技術の様々な実施形態の理解を提供するために、多くの詳細が述べられている。しかしながら、特定の実施形態は、これらの詳細の一部を伴わずに、または追加の詳細と共に実施され得ることが、当業者には明らかであろう。
【００６６】
［００７７］いくつかの実施形態を開示したが、実施形態の精神から逸脱することなく、様々な修正、代替構成、および均等物を使用できることが、当業者によって理解されるであろう。さらに、いくつかの周知のプロセスおよび要素が、本技術を不必要に不明瞭にすることを避けるために、記載されていない。したがって、上記の説明は、技術の範囲を限定するものと解釈されるべきではない。
【００６７】
［００７８］値の範囲が与えられた場合、その範囲の上限と下限の間の中間にある各値も、文脈上そうでないことが明らかである場合を除いて、下限の単位の最小の端数まで、特に開示されていることが理解される。明示されたある範囲内の任意の明示された値または明示されていない中間の値と、その明示された範囲内の任意の他の明示された値または中間の値との間の、任意のより狭い範囲も包含される。これらのより小さな範囲の上限および下限は、独立に、そのより小さな範囲に含められることもあれば、または除外されることもあり、そのより小さな範囲に上限と下限のうちの一方が含まれるか、いずれも含まれないか、または両方が含まれるような各範囲もまた、その明示された範囲内で除外される限界が特定されることを条件に、本技術の範囲に包含される。明示された範囲が、上限と下限のうちの一方または両方を含む場合、その含まれた上限と下限のうちの一方または両方を除外した範囲もまた、含まれる。
【００６８】
［００７９］本明細書および添付の特許請求の範囲で使用されるとき、単数形「１つの（ａ）」、「１つの（ａｎ）」、および「その（ｔｈｅ）」は、文脈上そうでないことが明らかである場合を除き、複数の参照を含む。したがって、例えば、「開孔」と言うときには、複数のそのような開孔が含まれ、「プレート」と言うときには、１つ以上のプレート、および当業者に知られているその均等物が含まれる、等々である。
【００６９】
［００８０］さらに、本明細書および以下の特許請求の範囲で使用されるとき、「備える（ｃｏｍｐｒｉｓｅ（ｓ））」、「備えている（ｃｏｍｐｒｉｓｉｎｇ）」、「含有する（ｃｏｎｔａｉｎ（ｓ））」、「含有している（ｃｏｎｔａｉｎｉｎｇ）」、「含む（ｉｎｃｌｕｄｅ（ｓ））」、および「含んでいる（ｉｎｃｌｕｄｉｎｇ）」という言葉は、明示された特徴、完全体、構成要素または工程の存在を示すことが意図されているが、これらの言葉は、１つ以上の他の特徴、完全体、構成要素、工程、行為またはグループの存在または追加を排除しない。
【図１】
2020205431.tif 000003
【図２】
2020205431.tif 000004
【図３】
2020205431.tif 000005
【図４】
2020205431.tif 000006
【図５Ａ】
2020205431.tif 000007
【図５Ｂ】
2020205431.tif 000008
【図６】
2020205431.tif 000009
【図７】
2020205431.tif 000010
【図８】
2020205431.tif 000011
【図９】
2020205431.tif 000012
【図１０】
2020205431.tif 000013
【図１１】
2020205431.tif 000014
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ガスボックスを備える半導体処理システムであって、前記ガスボックスは、
第１の表面と、当該第１の表面の反対側の第２の表面とを特徴とする第１のガスボックスプレートと、
前記第１のガスボックスプレートの前記第２の表面に沿って前記第１のガスボックスと結合された第２のガスボックスプレートと
を備え、前記第２のガスボックスプレートは、第１の表面と、当該第１の表面の反対側の第２の表面とを特徴とし、前記第２のガスボックスプレートは、前記第２のガスボックスプレートの前記第１の表面内に複数のチャネルを画定し、前記第１のガスボックスプレートの前記第２の表面と前記第２のガスボックスプレートの前記第１の表面とが、前記複数のチャネルを通る流路を画定する、半導体処理システム。
【請求項２】
前記ガスボックスが、送達管を受けるように構成された中央開孔を画定する、請求項１に記載の半導体処理システム。
【請求項３】
前記複数のチャネルが互いに流体連通し、前記ガスボックスに沿って半径方向外側に延在する複合チャネルを画定する、請求項１に記載の半導体処理システム。
【請求項４】
前記第１のガスボックスプレートが、前記第１のガスボックスプレートを通って延びるポートを画定する、請求項１に記載の半導体処理システム。
【請求項５】
前記ポートが、前記第２のガスボックスプレートの前記第１の表面に画定された前記複数のチャネルへの流体アクセスを提供する、請求項４に記載の半導体処理システム。
【請求項６】
前記ポートが、前記複数のチャネルの１つ以上のチャネルの半径方向内側で前記複数のチャネルのうちの１つのチャネルへの流体アクセスを提供するように構成されている、請求項４に記載の半導体処理システム。
【請求項７】
前記ガスボックスが、前記第２のガスボックスプレートの前記第１の表面における前記複数のチャネル内に、１つ以上の出口チャネルを画定する、請求項６に記載の半導体処理システム。
【請求項８】
前記１つ以上の出口チャネルが、前記第２のガスボックスプレートの前記第２の表面を通って延びる、請求項７に記載の半導体処理システム。
【請求項９】
前記ガスボックスを通るバイパス前駆体流路が、前記ポートから前記複数のチャネルを通って前記１つ以上の出口チャネルまで形成される、請求項８に記載の半導体処理システム。
【請求項１０】
半導体処理システムガスボックスであって、
第１の表面と、当該第１の表面の反対側の第２の表面とを特徴とする第１のガスボックスプレートと、
前記第１のガスボックスプレートの前記第２の表面に沿って前記第１のガスボックスと結合された第２のガスボックスプレートと
を備え、前記第２のガスボックスプレートは、第１の表面と、当該第１の表面の反対側の第２の表面とを特徴とし、前記第２のガスボックスプレートは、前記第２のガスボックスプレートの前記第１の表面内に複数のチャネルを画定し、前記第１のガスボックスプレートの前記第２の表面と前記第２のガスボックスプレートの前記第１の表面とが、前記複数のチャネルを通る流路を画定する、半導体処理システムガスボックス。
【請求項１１】
前記複数のチャネルが互いに流体連通し、前記ガスボックスに沿って半径方向外側に延在する複合チャネルを画定する、請求項１０に記載の半導体処理システムガスボックス。
【請求項１２】
前記第１のガスボックスプレートが、前記第１のガスボックスプレートを通って延びるポートを画定する、請求項１０に記載の半導体処理システムガスボックス。
【請求項１３】
前記ポートが、前記第２のガスボックスプレートの前記第１の表面に画定された前記複数のチャネルへの流体アクセスを提供する、請求項１２に記載の半導体処理システムガスボックス。
【請求項１４】
前記ポートが、前記複数のチャネルの１つ以上のチャネルの半径方向内側に前記複数のチャネルのうちの１つのチャネルへの流体アクセスを提供するように構成されている、請求項１２に記載の半導体処理システムガスボックス。
【請求項１５】
前記ガスボックスが、前記第２のガスボックスプレートの前記第１の表面における前記複数のチャネルから、前記第２のガスボックスプレートの前記第２の表面を通って延びる１つ以上の出口開孔を画定する、請求項１４に記載の半導体処理システムガスボックス。
【請求項１６】
前記１つ以上の出口開孔が、前記ポートによって流体アクセスされる前記複数のチャネルのうちの前記１つのチャネルの半径方向外側に前記複数のチャネルのうちの１つのチャネルに形成される、請求項１５に記載の半導体処理システムガスボックス。
【請求項１７】
前記複数のチャネルが、前記第２のガスボックスプレートの前記第１の表面にわたって半径方向外側に延びる再帰的な流れのパターンを形成する、請求項１０に記載の半導体処理システムガスボックス。
【請求項１８】
前記複数のチャネルの第１のチャネルが、前記第１のチャネルの半径方向外側に前記複数のチャネルの第２のチャネルへの２つの位置での流体アクセスを提供する、請求項１７に記載の半導体処理システムガスボックス。
【請求項１９】
前記２つの位置での流体アクセスが、前記複数のチャネルの前記第２のチャネルから前記複数のチャネルの前記第１のチャネルを分離する環状壁におけるカットアウトを含む、請求項１８に記載の半導体処理システムガスボックス。
【請求項２０】
前記複数のチャネルの前記第２のチャネルが、前記第２のチャネルの半径方向外側に前記複数のチャネルの第３のチャネルへの２つより多い位置での流体アクセスを提供し、前記２つより多い位置の各位置は、前記複数のチャネルの前記第１のチャネルから前記複数のチャネルの前記第２のチャネルへの流体アクセスの前記２つの位置と半径方向においてオフセットされている、請求項１８に記載の半導体処理システムガスボックス。
【外国語明細書】
2020205431000001.pdf